(57)【要約】  ネットワークを介して複数の監視対象機器を遠隔監視する遠隔監視システムは、監視対象機器をネットワーク内において識別する第１識別情報の通知を要求する要求情報を、ネットワークとは通信プロトコルが異なる第２のネットワーク内において監視対象機器を識別する第２識別情報を用いた発呼により、第２のネットワークを介して監視対象機器に送信する要求情報送信部と、第１識別情報と第２識別情報とが含まれ、監視対象機器から返信される応答情報を受信する応答情報受信部と、応答情報に含まれる第２識別情報と、要求情報送信部が送信した第２識別情報とを照合する識別情報照合部と、照合結果に基づいて、応答情報に含まれる第１識別情報を監視対象機器の第１識別情報として用い、ネットワークを介して監視対象機器と通信する通信部と、を備える。
2019021460.tif 000002
【特許請求の範囲】
【請求項１】
ネットワークを介して複数の監視対象機器を遠隔監視する遠隔監視システムであって、
前記監視対象機器を前記ネットワーク内において識別する第１識別情報の通知を要求する要求情報を、前記ネットワークとは通信プロトコルが異なる第２のネットワーク内において前記監視対象機器を識別する第２識別情報を用いた発呼により、前記第２のネットワークを介した通信によって前記監視対象機器に送信する要求情報送信部と、
前記監視対象機器の前記第１識別情報と前記第２識別情報とが含まれる情報であって、前記要求情報送信部が前記要求情報を送信することに応じて前記監視対象機器から返信される応答情報を受信する応答情報受信部と、
前記応答情報受信部が受信した前記応答情報に含まれる前記第２識別情報と、前記要求情報送信部が送信した前記第２識別情報とを照合する識別情報照合部と、
前記識別情報照合部の照合結果に基づいて、前記応答情報に含まれる前記第１識別情報を前記監視対象機器の前記第１識別情報として用いることにより、前記ネットワークを介して前記監視対象機器と通信する通信部と、
を備える遠隔監視システム。
【請求項２】
前記第１識別情報とはインターネットプロトコルアドレスであって、
前記第２識別情報とは電話番号である
請求項１に記載の遠隔監視システム。
【請求項３】
監視端末と、中継サーバとを備え、
前記要求情報送信部は前記監視端末に備えられ、
前記識別情報照合部は前記中継サーバに備えられる
請求項１又は請求項２に記載の遠隔監視システム。
【請求項４】
前記中継サーバは、
前記監視端末の稼働状況を示す情報に基づいて、前記監視対象機器と通信する前記監視端末を複数の前記監視端末のうちから選択する監視端末選択部
をさらに備える請求項３に記載の遠隔監視システム。
【発明の詳細な説明】
【技術分野】
【０００１】
本発明は、遠隔監視システムに関する。
【背景技術】
【０００２】
従来、遠隔で監視対象機器の情報をインターネット等を経由して取得する場合において、ＷＡＮに接続された端末からＬＡＮ内の監視装置および監視対象機器に容易にアクセスすることができるシステムが知られている（例えば、特許文献１参照）。特許文献１に記載されたシステムでは、監視対象機器にアクセスするためのアクセス用ＵＲＬ一覧を生成してＷｅｂサーバに格納し、ＷＡＮに接続された端末はこのＷｅｂサーバを経由して監視装置および監視対象機器にアクセスすることができる。
【先行技術文献】
【特許文献】
【０００３】
【特許文献１】特開２０１０−９１２９号公報
【発明の概要】
【発明が解決しようとする課題】
【０００４】
ところで、特許文献１に記載されたシステムでは、複数の監視対象機器が存在する場合に、接続先の監視対象機器の照合を容易にするための手法が考慮されていない。そのため、特許文献１に記載されたシステムでは、複数の監視対象機器が存在する場合に、接続先の監視対象機器を容易に照合できないおそれがある。【０００５】
本発明は、このような事情を考慮してなされたもので、複数の監視対象機器がある非常時接続の遠隔監視システムにおいて、接続先の監視対象機器の照合を容易にすることができる遠隔監視システムを提供することを目的とする。
【課題を解決するための手段】
【０００６】
ネットワークを介して複数の監視対象機器を遠隔監視する遠隔監視システムは、前記監視対象機器を前記ネットワーク内において識別する第１識別情報の通知を要求する要求情報を、前記ネットワークとは通信プロトコルが異なる第２のネットワーク内において前記監視対象機器を識別する第２識別情報を用いた発呼により、前記第２のネットワークを介した通信によって前記監視対象機器に送信する要求情報送信部と、前記監視対象機器の前記第１識別情報と前記第２識別情報とが含まれる情報であって、前記要求情報送信部が前記要求情報を送信することに応じて前記監視対象機器から返信される応答情報を受信する応答情報受信部と、前記応答情報受信部が受信した前記応答情報に含まれる前記第２識別情報と、前記要求情報送信部が送信した前記第２識別情報とを照合する識別情報照合部と、前記識別情報照合部の照合結果に基づいて、前記応答情報に含まれる前記第１識別情報を前記監視対象機器の前記第１識別情報として用いることにより、前記ネットワークを介して前記監視対象機器と通信する通信部と、を備える。【０００７】
上記の遠隔監視システムでは、前記第１識別情報とはインターネットプロトコルアドレスであって、前記第２識別情報とは電話番号であってもよい。【０００８】
上記のいずれかの遠隔監視システムは、監視端末と、中継サーバとを備え、前記要求情報送信部は前記監視端末に備えられ、前記識別情報照合部は前記中継サーバに備えられてもよい。【０００９】
監視端末と、中継サーバとを備える上記の遠隔監視システムでは、前記中継サーバは、前記監視端末の稼働状況を示す情報に基づいて、前記監視対象機器と通信する前記監視端末を複数の前記監視端末のうちから選択する監視端末選択部をさらに備えてもよい。
【発明の効果】
【００１０】
本発明によれば、複数の監視対象機器がある非常時接続の遠隔監視システムにおいて、接続先の監視対象機器の照合を容易にすることができる遠隔監視システムを提供することができる。
【図面の簡単な説明】
【００１１】
【図１】第１実施形態の遠隔監視システムの一例を示す図である。
【図２】第２実施形態の遠隔監視システムの一例を示す図である。
【図３】第１実施形態の遠隔監視システムの適用例を示す図である。
【図４】図３に示す適用例における通信の仕組みの基本部分を示した図である。
【図５】監視端末と監視対象機器との間の異常通報時の通信フローを示す図である。
【図６】監視端末ＭＴが情報収集を行う場合の通信フローを示す図である。
【発明を実施するための形態】
【００１２】
以下、図面を参照し、本発明の遠隔監視システムの実施形態について説明する。
【００１３】
＜第１実施形態＞
図１は、第１実施形態の遠隔監視システム１の一例を示す図である。
遠隔監視システム１は、複数の監視端末ＭＴ１、ＭＴ２、…と、中継サーバＲＳとを備えている。監視端末ＭＴ１は、要求情報送信部ＭＴ１Ａと、通信部ＭＴ１Ｂとを備えている。中継サーバＲＳは、要求情報中継部ＲＳＡと、応答情報受信部ＲＳＢと、識別情報照合部ＲＳＣと、中継部ＲＳＤと、監視端末選択部ＲＳＥとを備えている。
監視端末ＭＴ１の要求情報送信部ＭＴ１Ａは、例えばＶＰＮ（バーチャルプライベートネットワーク）を介して中継サーバＲＳの要求情報中継部ＲＳＡに接続可能に構成されている。監視端末ＭＴ１の通信部ＭＴ１Ｂは、例えばＶＰＮを介して中継サーバＲＳの識別情報照合部ＲＳＣと、中継部ＲＳＤとに接続可能に構成されている。
中継サーバＲＳの応答情報受信部ＲＳＢは、第１ネットワークＮＷ１（例えばＶＰＮ）を介して監視対象機器ＭＥ１の第１通信部ＭＥ１Ａに接続可能に構成されている。また、中継サーバＲＳの中継部ＲＳＤは、第１ネットワークＮＷ１を介して監視対象機器ＭＥ１の第１通信部ＭＥ１Ａに接続可能に構成されている。また、中継サーバＲＳの中継部ＲＳＤは、例えばＶＰＮを介して監視端末ＭＴ２に接続可能に構成されている。
中継サーバＲＳの要求情報中継部ＲＳＡは、第１ネットワークＮＷ１とは通信プロトコルが異なる第２ネットワークＮＷ２（例えば携帯電話通信網）を介して監視対象機器ＭＥ１の第２通信部ＭＥ１Ｂに接続可能に構成されている。
【００１４】
中継サーバＲＳの応答情報受信部ＲＳＢは、第１ネットワークＮＷ１を介して監視対象機器ＭＥ２とも接続可能である。また、中継サーバＲＳの中継部ＲＳＤは、第１ネットワークＮＷ１を介して監視対象機器ＭＥ２とも接続可能である。
中継サーバＲＳの要求情報中継部ＲＳＡは、第２ネットワークＮＷ２を介して監視対象機器ＭＥ２とも接続可能である。
【００１５】
遠隔監視システム１は、第１ネットワークＮＷ１および第２ネットワークＮＷ２を介して複数の監視対象機器ＭＥ１、ＭＥ２、…を遠隔監視する。
例えば、監視端末ＭＴ１が監視対象機器ＭＥ１を監視する場合、監視端末ＭＴ１の要求情報送信部ＭＴ１Ａは、監視対象機器ＭＥ１を第１ネットワークＮＷ１内において識別する第１識別情報（例えばＩＰ（インターネットプロトコル）アドレス）の通知を要求する要求情報を、中継サーバＲＳの要求情報中継部ＲＳＡおよび第２ネットワークＮＷ２を介した通信によって監視対象機器ＭＥ１の第２通信部ＭＥ１Ｂに送信する。中継サーバＲＳの要求情報中継部ＲＳＡは、第２ネットワークＮＷ２内において監視対象機器ＭＥ１を識別する第２識別情報（例えば電話番号）を用いた発呼によって、その要求情報を監視対象機器ＭＥ１の第２通信部ＭＥ１Ｂに送信する。
中継サーバＲＳの要求情報中継部ＲＳＡは、要求情報に含まれる第２識別情報を識別情報照合部ＲＳＣにも送信する。
【００１６】
また、監視端末ＭＴ１が監視対象機器ＭＥ１を監視する場合、中継サーバＲＳの応答情報受信部ＲＳＢは、監視対象機器ＭＥ１の第１識別情報と第２識別情報とが含まれる情報である応答情報を、第１ネットワークＮＷ１を介して監視対象機器ＭＥ１の第１通信部ＭＥ１Ａから受信する。この応答情報は、監視端末ＭＴ１の要求情報送信部ＭＴ１Ａが要求情報を送信することに応じて、監視対象機器ＭＥ１の第１通信部ＭＥ１Ａから返信されるものである。
中継サーバＲＳの応答情報受信部ＲＳＢは、受信した応答情報に含まれる第２識別情報（電話番号）を識別情報照合部ＲＳＣに送信する。
【００１７】
また、監視端末ＭＴ１が監視対象機器ＭＥ１を監視する場合、中継サーバＲＳの識別情報照合部ＲＳＣは、応答情報受信部ＲＳＢが受信した応答情報に含まれる第２識別情報と、監視端末ＭＴ１の要求情報送信部ＭＴ１Ａが要求情報中継部ＲＳＡを介して要求情報を送信する場合に用いた第２識別情報とを照合する。
照合結果がＯＫである場合には、識別情報照合部ＲＳＣは、照合結果（つまり、中継サーバＲＳおよび第１ネットワークＮＷ１を介した監視端末ＭＴ１と監視対象機器ＭＥ１との間の通信を開始可能な旨）を監視端末ＭＴ１の通信部ＭＴ１Ｂに送信する。
【００１８】
また、監視端末ＭＴ１が監視対象機器ＭＥ１を監視する場合、中継サーバＲＳの識別情報照合部ＲＳＣの照合結果に基づいて、監視端末ＭＴ１の通信部ＭＴ１Ｂは、応答情報に含まれる第１識別情報（例えば、ＩＰアドレス）を監視対象機器ＭＥ１の第１識別情報として用いることにより、中継サーバＲＳの中継部ＲＳＤおよび第１ネットワークＮＷ１を介して監視対象機器ＭＥ１の第１通信部ＭＥ１Ａと通信する。この通信は、監視端末ＭＴ１が監視対象機器ＭＥ１を監視するための通信である。
【００１９】
監視端末ＭＴ１は、監視対象機器ＭＥ１を監視する手法と同様の手法を用いることによって、監視対象機器ＭＥ２を監視することもできる。監視端末ＭＴ２は、監視端末ＭＴ１と同様に構成されていても、監視端末ＭＴ１とは異なるように構成されていてもよい。
【００２０】
中継サーバＲＳの監視端末選択部ＲＳＥは、監視端末ＭＴ１、ＭＴ２、…の稼働状況を示す情報（例えば、故障情報）に基づいて、監視対象機器ＭＥ１と通信する監視端末を複数の監視端末ＭＴ１、ＭＴ２、…のうちから選択する。
例えば、監視端末ＭＴ１が故障した場合、監視端末選択部ＲＳＥは、例えば、監視端末ＭＴ１の代わりに監視端末ＭＴ２を選択する。その結果、監視端末ＭＴ１の代わりに、監視端末ＭＴ２が、監視対象機器ＭＥ１を監視する。
【００２１】
第１実施形態の遠隔監視システム１では、識別情報照合部ＲＳＣが備えられ、監視対象機器ＭＥ１を電話番号で照合するため、ＩＰアドレスを通知してきた監視対象機器ＭＥ１、ＭＥ２、…が複数あったとしても、ＩＰアドレスと監視対象機器ＭＥ１との対応づけを容易に行うことができる。
【００２２】
＜第２実施形態＞
図２は、第２実施形態の遠隔監視システム１の一例を示す図である。
第１実施形態の遠隔監視システム１は中継サーバＲＳを備えているが、第２実施形態の遠隔監視システム１は中継サーバを備えていない。
詳細には、第２実施形態の遠隔監視システム１は、監視端末ＭＴ０１を備えている。監視端末ＭＴ０１は、要求情報送信部ＭＴ０１Ａと、応答情報受信部ＭＴ０１Ｂと、識別情報照合部ＭＴ０１Ｃと、通信部ＭＴ０１Ｄとを備えている。
監視端末ＭＴ０１の要求情報送信部ＭＴ０１Ａは、第２ネットワークＮＷ２を介して監視対象機器ＭＥ１の第２通信部ＭＥ１Ｂに接続可能に構成されている。要求情報送信部ＭＴ０１Ａは、第２ネットワークＮＷ２を介して監視対象機器ＭＥ２とも接続可能である。
監視端末ＭＴ０１の応答情報受信部ＭＴ０１Ｂは、第１ネットワークＮＷ１を介して監視対象機器ＭＥ１の第１通信部ＭＥ１Ａに接続可能に構成されている。応答情報受信部ＭＴ０１Ｂは、第１ネットワークＮＷ１を介して監視対象機器ＭＥ２とも接続可能である。
【００２３】
つまり、第２実施形態の遠隔監視システム１も、第１実施形態の遠隔監視システム１と同様に、第１ネットワークＮＷ１および第２ネットワークＮＷ２を介して複数の監視対象機器ＭＥ１、ＭＥ２、…を遠隔監視する。
例えば、監視端末ＭＴ０１が監視対象機器ＭＥ１を監視する場合、監視端末ＭＴ０１の要求情報送信部ＭＴ０１Ａは、監視対象機器ＭＥ１を第１ネットワークＮＷ１内において識別する第１識別情報の通知を要求する要求情報を、第２ネットワークＮＷ２を介した通信によって監視対象機器ＭＥ１の第２通信部ＭＥ１Ｂに送信する。要求情報送信部ＭＴ０１Ａは、第２ネットワークＮＷ２内において監視対象機器ＭＥ１を識別する第２識別情報を用いた発呼によって、その要求情報を監視対象機器ＭＥ１の第２通信部ＭＥ１Ｂに送信する。
要求情報送信部ＭＴ０１Ａは、要求情報に含まれる第２識別情報を識別情報照合部ＭＴ０１Ｃにも送信する。
【００２４】
また、監視端末ＭＴ０１が監視対象機器ＭＥ１を監視する場合、監視端末ＭＴ０１の応答情報受信部ＭＴ０１Ｂは、監視対象機器ＭＥ１の第１識別情報と第２識別情報とが含まれる情報である応答情報を、第１ネットワークＮＷ１を介して監視対象機器ＭＥ１の第１通信部ＭＥ１Ａから受信する。この応答情報は、監視端末ＭＴ０１の要求情報送信部ＭＴ０１Ａが要求情報を送信することに応じて、監視対象機器ＭＥ１の第１通信部ＭＥ１Ａから返信されるものである。
応答情報受信部ＭＴ０１Ｂは、受信した応答情報に含まれる第２識別情報を識別情報照合部ＭＴ０１Ｃに送信する。
【００２５】
また、監視端末ＭＴ０１が監視対象機器ＭＥ１を監視する場合、監視端末ＭＴ０１の識別情報照合部ＭＴ０１Ｃは、応答情報受信部ＭＴ０１Ｂが受信した応答情報に含まれる第２識別情報と、要求情報送信部ＭＴ０１Ａが要求情報を送信する場合に用いた第２識別情報とを照合する。
照合結果がＯＫである場合には、識別情報照合部ＭＴ０１Ｃは、照合結果（つまり、第１ネットワークＮＷ１を介した監視端末ＭＴ０１と監視対象機器ＭＥ１との間の通信を開始可能な旨）を通信部ＭＴ０１Ｄに送信する。
【００２６】
また、監視端末ＭＴ０１が監視対象機器ＭＥ１を監視する場合、監視端末ＭＴ０１の識別情報照合部ＭＴ０１Ｃの照合結果に基づいて、通信部ＭＴ０１Ｄは、応答情報に含まれる第１識別情報を監視対象機器ＭＥ１の第１識別情報として用いることにより、第１ネットワークＮＷ１を介して監視対象機器ＭＥ１の第１通信部ＭＥ１Ａと通信する。この通信は、監視端末ＭＴ０１が監視対象機器ＭＥ１を監視するための通信である。
【００２７】
第２実施形態の遠隔監視システム１では、識別情報照合部ＭＴ０１Ｃが備えられ、監視対象機器ＭＥ１を電話番号で照合するため、ＩＰアドレスを通知してきた監視対象機器ＭＥ１、ＭＥ２、…が複数あったとしても、ＩＰアドレスと監視対象機器ＭＥ１との対応づけを容易に行うことができる。
【００２８】
＜適用例＞
図３は、第１実施形態の遠隔監視システム１の適用例を示す図である。
図３に示す例では、遠隔監視システム１が、監視端末ＭＴ１１、ＭＴ１２と、中継サーバＲＳと、ファイアウォールＦＷとを備えている。監視端末ＭＴ１１は、本体部ＭＴ１１Ａと、例えば通信アダプタによって構成される通信部ＭＴ１１Ｂとを備えている。監視端末ＭＴ１２は、本体部ＭＴ１２Ａと、例えばＶＰＮルータによって構成される通信部ＭＴ１２Ｂとを備えている。中継サーバＲＳは、本体部ＲＳ１と、ＶＰＮルータ部ＲＳ２Ａ、ＲＳ２Ｂとを備えている。
監視端末ＭＴ１１の通信部ＭＴ１１Ｂと、中継サーバＲＳのＶＰＮルータ部ＲＳ２Ａとの間では、第１ネットワークＮＷ１およびファイアウォールＦＷを介するセキュリティ通信が行われる。同様に、監視端末ＭＴ１２の通信部ＭＴ１２Ｂと、中継サーバＲＳのＶＰＮルータ部ＲＳ２Ａとの間では、第１ネットワークＮＷ１およびファイアウォールＦＷを介するセキュリティ通信が行われる。
また、中継サーバＲＳのＶＰＮルータ部ＲＳ２Ｂと、携帯通信プラットフォームＰＦのＶＰＮルータ部ＰＦＲとの間では、第１ネットワークＮＷ１およびファイアウォールＦＷを介するセキュリティ通信が行われる。
携帯通信プラットフォームＰＦと、監視対象機器ＭＥ１１のモデム部ＭＥ１１Ｂとの間では、携帯電話通信網（携帯電話通信網では、ＩＰアドレスを用いた通信と、電話番号を用いた通信とが可能である。）を介する通信が行われる。同様に、携帯通信プラットフォームＰＦと、監視対象機器ＭＥ１２のモデム部ＭＥ１２Ｂとの間では、携帯電話通信網を介する通信が行われる。
監視端末ＭＴ１１または監視端末ＭＴ１２は、監視対象機器ＭＥ１１のモデム部ＭＥ１１Ｂとの通信を行うことによって、監視対象機器ＭＥ１１の本体部ＭＥ１１Ａを遠隔監視し、監視対象機器ＭＥ１２のモデム部ＭＥ１２Ｂとの通信を行うことによって、監視対象機器ＭＥ１２の本体部ＭＥ１２Ａを遠隔監視する。
【００２９】
図３に示す例では、監視対象機器ＭＥ１１の異常通報先になっている監視端末ＭＴ１１との通信ができない状態であると中継サーバＲＳが判断した場合、予め設定された転送先の監視端末ＭＴ１２に異常通報を行うことができる。転送設定は、監視端末ＭＴ１１、ＭＴ１２のＩＰアドレス毎に行うことができる。
【００３０】
図４は、図３に示す適用例における通信の仕組みの基本部分を示した図である。
図４に示す例では、監視端末ＭＴ１１が中継サーバＲＳと通信を行い、監視対象機器ＭＥ１１のモデム部ＭＥ１１Ｂが中継サーバＲＳと通信を行う。つまり、監視端末ＭＴ１１からのデータ送信先、および、監視対象機器ＭＥ１１のモデム部ＭＥ１１Ｂからのデータ送信先は共に中継サーバＲＳである。中継サーバＲＳが通信中継を行うことによって、監視端末ＭＴ１１と監視対象機器ＭＥ１１のモデム部ＭＥ１１Ｂとの間の通信が行われる。
監視対象機器ＭＥ１１の本体部ＭＥ１１Ａには、異常通報先の監視端末ＭＴ１１の本体部ＭＴ１１ＡのＩＰアドレスが設定される。監視端末ＭＴ１１の本体部ＭＴ１１ＡのＩＰアドレスの代わりに、監視端末ＭＴ１１の通信部ＭＴ１１Ｂ（通信アダプタまたはルータ）のＩＰアドレスが設定されてもよい。
監視対象機器ＭＥ１１のモデム部ＭＥ１１Ｂを利用した通信システムでは、ＳＩＭに割り振られるＩＰアドレス（動的ＩＰアドレス）が、接続する毎に変更される。一方、ＳＩＭには、携帯電話番号が記録され、保持される。監視対象機器ＭＥ１１のモデム部ＭＥ１１Ｂには、中継サーバＲＳの固定ＩＰアドレスが設定され、保持される。
監視端末ＭＴ１１には、固定ＩＰアドレスが事前に割り振られている。監視端末ＭＴ１１には、中継サーバＲＳの固定ＩＰアドレスが設定され、保持される。また、監視端末ＭＴ１１には、監視対象機器ＭＥ１１、ＭＥ１２…毎の携帯電話番号が設定される。
【００３１】
図５は、監視端末ＭＴ１１と監視対象機器ＭＥ１１との間の異常通報時の通信フローを示す図である。
図５に示す例では、ステップＳ１において、監視対象機器ＭＥ１１の本体部ＭＥ１１Ａが、モデム部ＭＥ１１Ｂに通信要求＜通信先ＩＰ＞を送信する。
ステップＳ２では、監視対象機器ＭＥ１１のモデム部ＭＥ１１Ｂと中継サーバＲＳとの間の通信コネクションが確立する。
ステップＳ３では、監視対象機器ＭＥ１１のモデム部ＭＥ１１Ｂが、携帯通信プラットフォームＰＦを介して中継サーバＲＳに通信開始要求＜通信先ＩＰ／自身ＩＰ＞を送信する。
ステップＳ４では、中継サーバＲＳと監視端末ＭＴ１１との間の通信コネクションが確立する。つまり、中継サーバＲＳは、監視対象機器ＭＥ１１のモデム部ＭＥ１１Ｂからの通信開始要求に基づいて、＜通信先ＩＰ＞で指定されるＩＰアドレスを有する監視端末ＭＴ１１と通信回線を確立する。
【００３２】
ステップＳ５では、中継サーバＲＳが、監視対象機器ＭＥ１１のモデム部ＭＥ１１Ｂに通信開始可能である旨を送信する。つまり、ステップＳ４において中継サーバＲＳと監視端末ＭＴ１１との間の通信コネクションが確立したため、中継サーバＲＳは、監視対象機器ＭＥ１１のモデム部ＭＥ１１Ｂに対して「通信開始可能」情報を送信する。
ステップＳ６では、監視対象機器ＭＥ１１のモデム部ＭＥ１１Ｂが、本体部ＭＥ１１Ａに接続完了の旨を送信する。
ステップＳ７では、監視対象機器ＭＥ１１の本体部ＭＥ１１Ａと監視端末ＭＴ１１との間で直接通信が行われる。
監視対象機器ＭＥ１１のモデム部ＭＥ１１Ｂでは、プロトコル変換が行われる。中継サーバＲＳでは、通信中継が行われる。
監視対象機器ＭＥ１１は、予め設定されているＩＰアドレスを有する監視端末（例えば監視端末ＭＴ１１）に対してのみ通信を行う。中継サーバＲＳは、転送機能を備えている。例えば、監視対象機器ＭＥ１１が通信要求先の監視端末ＭＴ１１と通信できない状態である場合、中継サーバＲＳは、予め設定されている転送先ＩＰアドレスを有する監視端末（例えば監視端末ＭＴ１２）に対して監視対象機器ＭＥ１１が接続するように、転送制御を行う。
【００３３】
図６は、監視端末ＭＴ１１が情報収集を行う場合（つまり、監視端末ＭＴ１１からの回線接続が行われる場合）の通信フローを示す図である。
図６に示す例では、ステップＳ１１において、監視端末ＭＴ１１と中継サーバＲＳとの間の通信コネクションが確立する。
ステップＳ１２では、監視端末ＭＴ１１が、中継サーバＲＳに対して接続要求を行い、接続したい監視対象機器ＭＥ１１の＜電話番号＞を送信する。
ステップＳ１３では、中継サーバＲＳが、携帯通信プラットフォームＰＦに対して接続要求を行い、監視対象機器ＭＥ１１の＜電話番号＞を送信する。
ステップＳ１４では、携帯通信プラットフォームＰＦが、監視対象機器ＭＥ１１のモデム部ＭＥ１１Ｂに対して（すなわち、監視対象機器ＭＥ１１の＜電話番号＞に）、ＳＭＳ（ショートメッセージサービス）データを送信する。つまり、中継サーバＲＳは、ステップＳ１２における監視端末ＭＴ１１からの回線接続要求を受けて、ステップＳ１３およびステップＳ１４においてＳＭＳ送信制御を実施する。
【００３４】
ステップＳ１６では、監視対象機器ＭＥ１１のモデム部ＭＥ１１Ｂは、着信があった旨を本体部ＭＥ１１Ａに送信する。
ステップＳ１７では、監視対象機器ＭＥ１１の本体部ＭＥ１１が、着信を許可する旨をモデム部ＭＥ１１Ｂに送信する。
ステップＳ１８では、中継サーバＲＳと監視対象機器ＭＥ１１のモデム部ＭＥ１１Ｂとの間の通信コネクションが確立する。つまり、ＳＭＳデータを受信した監視対象機器ＭＥ１１のモデム部ＭＥ１１Ｂは、回線自動接続を行う。
ステップＳ１９では、監視対象機器ＭＥ１１のモデム部ＭＥ１１Ｂが、中継サーバＲＳに対してＳＭＳデータを受信した旨の通知を行う。詳細には、監視対象機器ＭＥ１１のモデム部ＭＥ１１Ｂは、自身電話番号と自身ＩＰアドレスとを中継サーバＲＳに送信する。
中継サーバＲＳは、監視対象機器ＭＥ１１のモデム部ＭＥ１１Ｂから送信された電話番号を元に、監視端末ＭＴ１１、ＭＴ１２、…のうちのどの監視端末と、監視対象機器ＭＥ１１、ＭＥ１２、…のうちのどの監視対象機器との間でＩＰアドレスを用いた通信を行わせるかを判断する。
ステップＳ２０では、中継サーバＲＳが、監視端末ＭＴ１１に対して通信開始可能である旨を送信する。
ステップＳ２１では、監視対象機器ＭＥ１１の本体部ＭＥ１１Ａと監視端末ＭＴ１１との間で直接通信が行われ、監視端末ＭＴ１１による監視対象機器ＭＥ１１の遠隔監視が行われる。
図６に示す例においても、監視対象機器ＭＥ１１のモデム部ＭＥ１１Ｂでは、プロトコル変換が行われる。中継サーバＲＳでは、通信中継が行われる。
【００３５】
すなわち、図６に示す例では、中継サーバＲＳが、ステップＳ１２において監視端末ＭＴ１１から監視対象機器ＭＥ１１の電話番号を受け取る。このとき、中継サーバＲＳは、送信元の監視端末ＭＴ１１の通信ＩＰを記憶しておく。
また、中継サーバＲＳは、ステップＳ１３において携帯通信プラットフォームＰＦに対し、監視対象機器ＭＥ１１の電話番号へのＳＭＳ送信を要求する。
監視対象機器ＭＥ１１のモデム部ＭＥ１１Ｂは、ＳＭＳデータを受信すると、ステップＳ１９において中継サーバＲＳに対して回線接続を行い、自身のＩＰアドレスと電話番号とを通知する。中継サーバＲＳは、モデム部ＭＥ１１Ｂから通知された情報を保持する。
中継サーバＲＳは、監視対象機器ＭＥ１１のモデム部ＭＥ１１Ｂとの回線確立が完了したと判断し、ステップＳ２０において監視端末ＭＴ１１に「回線確立完了」を通知する。
【００３６】
一般的な携帯モデム（携帯電話通信網）を利用した通信システムでは、ＳＩＭに割り振られるＩＰアドレスが接続する毎に変更されるため、インターネットに接続された監視端末等から任意の携帯モデムに対して通信開始（呼び出し）を行うことができない。
また、一般的なインターネット通信では「ＴＣＰ／ＩＰ通信」になるため、通信を行うには通信先の「ＩＰアドレス」を指定する必要がある。つまり、ＩＰアドレスが分からなければ、インターネット通信を行うことができない。
また、携帯モデム（ＳＩＭ）には、回線接続をするときに「ＩＰアドレス」が割り振られる。つまり、携帯モデム（ＳＩＭ）は、回線接続していないときに「ＩＰアドレス」を持っていない。
一方、携帯モデム（ＳＩＭ）は、「固有の電話番号」を有している。また、携帯モデム（ＳＩＭ）は、「ＳＭＳ」データを受信することはできる。
【００３７】
そこで、本発明の遠隔監視システム１では、図６に示すような仕組みによって、監視端末ＭＴ１１の側から監視対象機器ＭＥ１１のモデム部ＭＥ１１Ｂの側に通信が開始される（つまり、呼び出しが行われる）。
すなわち、本発明の遠隔監視システム１では、携帯電話通信網を用いたデータ通信において「電話番号」を照合に利用することによって、監視端末ＭＴ１１の側から、監視対象機器ＭＥ１１、ＭＥ１２、…のうちの任意の監視対象機器に通信を行うことができる。
一方、一般的な携帯電話通信網を用いた通信システムでは、携帯モデム側から特定のサーバに接続し、常時接続を維持するという形を取っている。
一般的な携帯電話通信網を用いた通信システムと比べると、本発明の遠隔監視システム１では、複数の監視端末ＭＴ１１、ＭＴ１２、…のうちの任意の監視端末と通信可能である（つまり、例えば拠点などのどこからでも接続可能である）。
また、本発明の遠隔監視システム１では、通信を行うときのみ回線接続すればよく、通信費用の低減することができる。
【００３８】
本発明の遠隔監視システム１における例えば監視端末ＭＴ１１と、例えば監視対象機器ＭＥ１１との間の通信は、例えば定期的な（例えば、月毎の）報告及び監視対象機器異常発生時の通報が目的であるため、常時接続しておくほどの通信量、通信頻度がない。
また、本発明の遠隔監視システム１では、常時接続の通信方法で問題になる「通信切断時のリカバリ」がそもそも不要という利点がある。
非常時接続の通信方法を採用することにより、本発明の遠隔監視システム１では、安価なシステム構築および運用が可能になる。
【００３９】
仮に常時接続の通信方法が採用される場合、所定時間内に定期的にデータ送信を行わなければ回線が切断される。その結果、上述した「通信切断時のリカバリ」が必要になってしまう。
一方、本発明の遠隔監視システム１では、非常時接続の通信方法を採用することにより、必要な場合のみ通信を行えばよい。そのため、パケット量の節約することができる。
【００４０】
仮に常時接続の通信方法が採用される場合、全監視対象機器と通信を行うことができるサーバ能力が必要となる。
一方、本発明の遠隔監視システム１では、非常時接続の通信方法を採用することにより、実質的に通信を行うのは全監視対象台数の数％程度である。そのため、中継サーバＲＳの容量（通信能力）を抑制することができる。例えば監視端末ＭＴ１１と監視対象機器ＭＥ１１との間で月に１度程度の通信が行われる場合、監視端末ＭＴ１２と監視対象機器ＭＥ１２との間の通信時には、監視端末ＭＴ１１と監視対象機器ＭＥ１１との間の通信を行わないようにすればよい。監視端末ＭＴ１１と監視対象機器ＭＥ１１との間の通信は、監視端末ＭＴ１２と監視対象機器ＭＥ１２との間の通信が終了した後に、開始される。
【００４１】
本発明の遠隔監視システム１では、非常時接続の通信方法を採用するため、通信ごとに、監視対象機器に付与されたＩＰアドレスを取得し、ＩＰアドレスを使用したネットワーク接続を行う。
また、本発明の遠隔監視システム１では、非常時接続の通信方法を採用するため、監視対象機器のＩＰアドレスは接続の都度変化する。監視端末は、接続の都度、監視対象機器のＩＰアドレスを取得する。
【符号の説明】
【００４２】
１  遠隔監視システム
ＭＴ１  監視端末
ＭＴ１Ａ  要求情報送信部
ＭＴ１Ｂ  通信部
ＭＴ２  監視端末
ＲＳ  中継サーバ
ＲＳＡ  要求情報中継部
ＲＳＢ  応答情報受信部
ＲＳＣ  識別情報照合部
ＲＳＤ  中継部
ＲＳＥ  監視端末選択部
ＮＷ１  第１ネットワーク
ＮＷ２  第２ネットワーク
ＭＥ１  監視対象機器
ＭＥ１Ａ  第１通信部
ＭＥ１Ｂ  第２通信部
ＭＥ２  監視対象機器
【図１】
2019021460.tif 000003
【図２】
2019021460.tif 000004
【図３】
2019021460.tif 000005
【図４】
2019021460.tif 000006
【図５】
2019021460.tif 000007
【図６】
2019021460.tif 000008
【国際調査報告】
2019021460.tif 000009
2019021460.tif 000010
2019021460.tif 000011
2019021460.tif 000012